(57)【要約】  複数の画像を重ねて示す重畳画像を画像処理する画像処理装置が、少なくともストローク画像と、背景画像とを重畳して前記重畳画像を生成し、前記重畳画像を示す画像データを記憶する記憶先が、前記画像処理装置に接続される外部装置であるか否かを判定し、前記判定によって前記記憶先が前記外部装置であると判定されると、前記画像データを変更することで上記課題を解決する。
2017138233.tif 000002
【特許請求の範囲】
【請求項１】
複数の画像を重ねて示す重畳画像を画像処理する画像処理装置であって、
少なくともストローク画像と、背景画像とを重畳して前記重畳画像を生成する画像処理部と、
前記重畳画像を示す画像データを記憶する記憶先が、前記画像処理装置に接続される外部装置であるか否かを判定する判定部と、
前記判定部によって前記記憶先が前記外部装置であると判定されると、前記画像データを変更する変更部と
を備える画像処理装置。
【請求項２】
前記ストローク画像は、手書きにより入力された文字、図形、数字、記号、線又はこれらの組み合わせを示す画像である請求項１に記載の画像処理装置。
【請求項３】
前記ストローク画像は、前記背景画像より手前に表示される画像である請求項１又は２に記載の画像処理装置。
【請求項４】
前記変更部は、前記背景画像を示す背景画像データを圧縮する、前記背景画像の画像のサイズ、前記背景画像の圧縮率若しくはこれらの組み合わせを変える又は前記背景画像が有する画素を間引く請求項１乃至３のいずれか一項に記載の画像処理装置。
【請求項５】
前記判定部は、前記記憶先を示すパスが所定の記憶領域を示すか否かに基づいて判定する請求項１乃至４のいずれか一項に記載の画像処理装置。
【請求項６】
前記判定部は、前記記憶先が前記記憶領域以外であると、前記記憶先が前記外部装置であると判定する請求項５に記載の画像処理装置。
【請求項７】
前記画像データと、前記画像データと関連付けされるコードとを示すテーブルデータを生成し、
前記コードが入力されると、前記テーブルデータに基づいて、前記画像データを特定する請求項１乃至６のいずれか一項に記載の画像処理装置。
【請求項８】
１つ以上の情報処理装置を有し、かつ、複数の画像を重ねて示す重畳画像を画像処理する画像処理システムであって、
少なくともストローク画像と、背景画像とを重畳して前記重畳画像を生成する画像処理部と、
前記重畳画像を示す画像データを記憶する記憶先が、前記情報処理装置に接続される外部装置であるか否かを判定する判定部と、
前記判定部によって前記記憶先が前記外部装置であると判定されると、前記画像データを変更する変更部と
を備える画像処理システム。
【請求項９】
複数の画像を重ねて示す重畳画像を画像処理する画像処理装置が行う画像処理方法であって、
前記画像処理装置が、少なくともストローク画像と、背景画像とを重畳して前記重畳画像を生成する画像処理手順と、
前記画像処理装置が、前記重畳画像を示す画像データを記憶する記憶先が、前記画像処理装置に接続される外部装置であるか否かを判定する判定手順と、
前記画像処理装置が、前記判定手順によって前記記憶先が前記外部装置であると判定されると、前記画像データを変更する変更手順と
を含む画像処理方法。
【発明の詳細な説明】
【技術分野】
【０００１】
本発明は、画像処理装置、画像処理システム及び画像処理方法に関する。
【背景技術】
【０００２】
従来、企業や教育機関、行政機関等における会議等において、大型ディスプレイに背景画像を表示させ、この背景画像の上にユーザが文字や数字、図形等のストローク画像を描画可能な電子黒板が利用されている。【０００３】
このような電子黒板の一例として、例えば、特許文献１によって、以下のような画像処理装置が知られている。まず、電子黒板等の画像処理装置が、情報処理装置から表示画像を直接取得し、表示装置に対する物体の接触位置又は接近位置を使用して描画画像を生成する。次に、画像処理装置が、表示画像及び描画画像を合成して画像を生成した上で、合成した画像を表示装置に表示する。続いて、画像処理装置が、表示画像及び描画画像を再合成及び再表示するための表示情報を記録及び保存するための表示情報を保存する。そして、任意の情報処理装置からネットワークを経由してコンテンツデータを受信すると、画像処理装置が、コンテンツデータの内容を画像データに変換して、画像データをもとに表示情報を生成し、保存する。このようにして、会議参加者のノートＰＣ又は携帯端末に保存しているコンテンツデータを背景画像にするページを自由に追加する画像処理装置が知られている。
【発明の概要】
【発明が解決しようとする課題】
【０００４】
しかしながら、画像処理装置が画像データ等を生成し、生成した画像データ等を画像処理装置に接続される外部装置等に記憶する場合がある。この場合において、外部装置に記憶させる画像データ等のデータ容量が大きくなるという問題がある。【０００５】
本発明の１つの側面は、上述した課題を解決するものであり、外部装置に記憶させる画像データ等のデータ容量を小さくすることを目的とする。
【課題を解決するための手段】
【０００６】
一態様における、複数の画像を重ねて示す重畳画像を画像処理する画像処理装置は、少なくともストローク画像と、背景画像とを重畳して前記重畳画像を生成する画像処理部と、前記重畳画像を示す画像データを記憶する記憶先が、前記画像処理装置に接続される外部装置であるか否かを判定する判定部と、前記判定部によって前記記憶先が前記外部装置であると判定されると、前記画像データを変更する変更部とを備える。
【発明の効果】
【０００７】
本発明の画像処理装置は、上記構成を採用することにより、外部装置に記憶させる画像データ等のデータ容量を小さくすることができる効果を奏する。
【図面の簡単な説明】
【０００８】
【図１】本実施形態の画像処理システムの一例を示す全体構成図である。
【図２】電子黒板のハードウェア構成の一例を示すブロック図である。
【図３】電子黒板の機能構成の一例を示す機能ブロック図である。
【図４】ファイル処理部の一例を示す機能ブロック図である。
【図５】サーバ部及び送信制御部の一例を示す機能ブロック図である。
【図６】各画像レイヤの一例の構成図である。
【図７】各電子黒板の処理の一例を示すシーケンス図（その１）である。
【図８】各電子黒板の処理の一例を示すシーケンス図（その２）である。
【図９】電子黒板による判定及び変更の処理の一例を示すフローチャートである。
【図１０】電子黒板が表示するファイル操作メニューを示す図の一例である。
【図１１】ファイル操作における記憶先を入力するためのＧＵＩを示す図の一例である。
【図１２】変更に係る設定を入力するためのオプション設定画面を示す図の一例である。
【図１３】コードを入力するコード入力画面を示す図の一例である。
【発明を実施するための形態】
【０００９】
以下、図面を用いて、本発明の一実施形態を説明する。
【００１０】
＜システムの概要＞
図１は、本実施形態の画像処理システムの一例を示す全体構成図である。なお、図１では、説明を簡略化するために、２台の電子黒板２ａ、２ｂ及びこれに付随する電子ペン４ａ、４ｂ等を示しているだけであって、３台以上の電子黒板又は電子ペン等が、利用されてもよい。
【００１１】
図１に示すように、画像処理システム１は、複数の電子黒板２ａ、２ｂ、複数の電子ペン４ａ、４ｂ、ＵＳＢメモリ５ａ、５ｂ、ノートＰＣ（Ｐｅｒｓｏｎａｌ  Ｃｏｍｐｕｔｅｒ）６ａ、６ｂ、テレビ（ビデオ）会議端末７ａ、７ｂ及びＰＣ８を有する。また、電子黒板２ａ、２ｂ及びＰＣ８は、通信ネットワーク９を介して通信可能に接続される。さらに、複数の電子黒板２ａ、２ｂには、それぞれディスプレイ３ａ、３ｂが設けられる。
【００１２】
また、電子黒板２ａは、電子ペン４ａによって生じたイベント（ディスプレイ３ａに対して、電子ペン４ａのペン先又は電子ペン４ａのペン尻によるタッチ）で描画される画像を、ディスプレイ３ａに表示させることができる。なお、電子ペン４ａだけでなく、ユーザの手Ｈａ等によって生じるイベント（拡大、縮小又はページめくり等のジェスチャ）に基づいて、電子黒板２ａは、ディスプレイ３ａ上に表示されている画像を変更することもできる。
【００１３】
また、電子黒板２ａには、ＵＳＢメモリ５ａが接続可能であり、電子黒板２ａは、ＵＳＢメモリ５ａからＰＤＦ等の電子ファイルを読み出したり、電子黒板２ａは、ＵＳＢメモリ５ａに電子ファイルを記憶したりできる。また、電子黒板２ａには、ＤｉｓｐｌａｙＰｏｒｔ、ＤＶＩ（Ｄｉｇｉｔａｌ  Ｖｉｓｕａｌ  Ｉｎｔｅｒｆａｃｅ）、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）及びＶＧＡ（Ｖｉｄｅｏ  Ｇｒａｐｈｉｃｓ  Ａｒｒａｙ）等の規格による通信が可能なケーブル１０ａ１を介して、ノートＰＣ６ａが接続される。そして、電子黒板２ａは、ディスプレイ３ａに対する接触によってイベントを発生させ、このイベントを示すイベント情報を、マウス又はキーボード等の入力装置からのイベントと同様に、ノートＰＣ６ａに送信する。同じく、電子黒板２ａには、上記規格による通信が可能なケーブル１０ａ２を介して、テレビ（ビデオ）会議端末７ａが接続される。なお、ノートＰＣ６ａ及びテレビ会議端末７ａは、Ｂｌｕｅｔｏｏｔｈ（登録商標）等の各種無線通信プロトコルに準拠した無線通信により、電子黒板２ａと通信してもよい。
【００１４】
一方、電子黒板２ｂが設置される他の拠点では、上記と同様に、ディスプレイ３ｂを備える電子黒板２ｂ、電子ペン４ｂ、ＵＳＢメモリ５ｂ、ノートＰＣ６ｂ、テレビ会議端末７ｂ、ケーブル１０ｂ１及びケーブル１０ｂ２が利用される。さらに、ユーザの手Ｈｂ等によって生じるイベントに基づいて、電子黒板２ｂは、ディスプレイ３ｂ上に表示されている画像を変更することもできる。
【００１５】
これにより、ある拠点で、電子黒板２ａが有するディスプレイ３ａ上に描画された画像は、他の拠点で電子黒板２ｂが有するディスプレイ３ｂ上に表示される。逆に、他の拠点で電子黒板２ｂが有するディスプレイ３ｂ上に描画された画像は、ある拠点で電子黒板２ａが有するディスプレイ３ａ上に表示される。このように、画像処理システム１は、遠隔地において同じ画像を共有する遠隔共有処理を行うことができるため、遠隔地での会議等に用いると、便利である。
【００１６】
＜用語について＞
なお、以下の例では、複数の電子黒板のうち、任意の電子黒板を示す場合には「電子黒板２」という。また、複数のディスプレイのうち、任意のディスプレイを示す場合には「ディスプレイ３」という。さらに、複数の電子ペンのうち、任意の電子ペンを示す場合には「電子ペン４」という。さらにまた、複数のＵＳＢメモリのうち、任意のＵＳＢメモリを示す場合には「ＵＳＢメモリ５」という。他にも、複数のノートＰＣのうち、任意のノートＰＣを示す場合には「ノードＰＣ６」という。また、複数のテレビ会議端末のうち、任意のテレビ会議端末を示す場合には「テレビ会議端末７」という。さらに、複数のユーザの手のうち、任意の手を示す場合には「手Ｈ」という。さらにまた、複数のケーブルのうち、任意のケーブルを示す場合には「ケーブル１０」と示す。
【００１７】
また、以下の説明では、画像処理装置が電子黒板である例を説明する。ただし、画像処理装置は、これに限られない。例えば、画像処理装置は、電子看板（デジタルサイネージ）、スポーツ若しくは天気予報等で利用されるテレストレータ又は遠隔画像（映像）診断装置等であってもよい。また、以下の説明では、情報処理端末がノートＰＣ６である例で説明する。ただし、情報処理端末は、これに限られない。例えば、情報処理端末は、デスクトップ型ＰＣ、タブレット型ＰＣ、ＰＤＡ、デジタルビデオカメラ、デジタルカメラ又はゲーム機等の画像フレームを供給可能な端末であってもよい。さらに、通信ネットワークには、インターネット、ＬＡＮ（Ｌｏｃａｌ  Ａｒｅａ  Ｎｅｔｗｏｒｋ）、携帯電話通信網等が含まれる。そして、通信ネットワークは、セキュリティを高めるため、ＶＰＮ（Ｖｉｅｔｕａｌ  Ｐｒｉｖａｔｅ  Ｎｅｔｗｏｒｋ）を用いてインターネットと接続してもよい。また、以下の説明では、記録媒体がＵＳＢメモリである例を説明する。ただし、記録媒体は、これに限られない。例えば、記録媒体は、ＳＤ（登録商標）カード等の他の種類の記録メディアであってもよい。
【００１８】
また、以下の説明では、画像処理装置を電子黒板とする例で説明するが、これに限るものではなく、例えば、画像処理装置が電子黒板に接続される情報処理端末であってもよい。
【００１９】
ユーザが電子黒板に手書きで書く文字、図形、数字、記号、線又はこれらの組み合わせを示す画像をストローク画像という。
【００２０】
＜電子黒板のハードウェア構成例＞
以下、本実施形態の電子黒板のハードウェア構成例を説明する。
【００２１】
図２は、電子黒板のハードウェア構成の一例を示すブロック図である。
【００２２】
図示するように、電子黒板２は、電子黒板２全体の動作を制御するＣＰＵ（Ｃｅｎｔｒａｌ  Ｐｒｏｃｅｓｓｉｎｇ  Ｕｎｉｔ）１０１を有する。また、電子黒板２は、ＩＰＬ（Ｉｎｉｔｉａｌ  Ｐｒｏｇｒａｍ  Ｌｏａｄｅｒ）等のＣＰＵ１０１の駆動に用いられるプログラムを記憶したＲＯＭ（Ｒｅａｄ−Ｏｎｌｙ  Ｍｅｍｏｒｙ）１０２を有する。さらに、電子黒板２は、ＣＰＵ１０１のワークエリアとして使用されるＲＡＭ（Ｒａｎｄｏｍ  Ａｃｃｅｓｓ  Ｍｅｍｏｒｙ）１０３を有する。さらにまた、電子黒板２は、電子黒板２用のプログラム等の各種データを記憶するＳＳＤ（Ｓｏｌｉｄ  Ｓｔａｔｅ  Ｄｒｉｖｅ）１０４を有する。また、電子黒板２は、通信ネットワーク９を用いる通信を制御するネットワークコントローラ１０５及びＵＳＢメモリ５等の外部装置との通信を制御する外部記憶コントローラ１０６を有する。
【００２３】
さらに、電子黒板２は、ノートＰＣ６が有するディスプレイ等に表示される映像情報を静止画又は動画として取得し、表示するキャプチャデバイス１１１を有する。さらにまた、電子黒板２は、グラフィクスを専門に扱うＧＰＵ（Ｇｒａｐｈｉｃｓ  Ｐｒｏｃｅｓｓｉｎｇ  Ｕｎｉｔ）１１２を有する。また、電子黒板２は、ＧＰＵ１１２から送られる出力画像をディスプレイ３及びテレビ会議端末７へ出力するために、画面表示の制御及び管理を行うディスプレイコントローラ１１３を有する。
【００２４】
他にも、電子黒板２は、接触センサ１１５による処理を制御するセンサコントローラ１１４及びディスプレイ３上に電子ペン４若しくはユーザの手Ｈ等が接触したことを検知する接触センサ１１５を有する。この接触センサ１１５は、例えば、赤外線遮断方式によって、座標の入力及び座標の検知を行う。この座標の入力及び座標を検知する方法では、まず、ディスプレイ３の上側両端部に設置される２つ受発光装置が、ディスプレイ３に平行して複数の赤外線を放射する。次に、ディスプレイ３の周囲に設けられる反射部材によって赤外線が反射され、受光素子が放射した光の光路と同一の光路上を戻って来る光を受発光装置が受光する。このようにして、接触センサ１１５は、手Ｈ等の物体によって遮断された２つの受発光装置が放射した赤外線のＩＤ（Ｉｄｅｎｔｉｆｉｃａｔｉｏｎ）をセンサコントローラ１１４に出力し、センサコントローラ１１４が、物体の接触位置である座標位置を特定する。なお、以下に示す全ての各ＩＤは、識別情報の一例である。
【００２５】
また、接触センサ１１５は、赤外線遮断方式を用いる装置に限られない。例えば、接触センサ１１５は、静電容量の変化を検知することにより接触位置を特定する静電容量方式のタッチパネル又は対向する２の抵抗膜の電圧変化によって接触位置を特定する抵抗膜方式のタッチパネル等でもよい。他にも、接触センサ１１５は、接触物体が表示部に接触することによって生じる電磁誘導を検知して接触位置を特定する電磁誘導方式のタッチパネル等でもよい。すなわち、接触センサ１１５は、種々の検知手段を用いてもよい。
【００２６】
また、電子黒板２は、電子ペンコントローラ１１６を有する。この電子ペンコントローラ１１６は、電子ペン４と通信することで、ディスプレイ３に対するペン先のタッチ又はペン尻のタッチの有無を判断する。なお、電子ペンコントローラ１１６が、電子ペン４のペン先及びペン尻だけでなく、電子ペン４のユーザが握る部分又はその他の電子ペンが有する部分のタッチの有無を判断するようにしてもよい。
【００２７】
さらに、電子黒板２は、ＣＰＵ１０１、ＲＯＭ１０２、ＲＡＭ１０３、ＳＳＤ１０４、ネットワークコントローラ１０５、外部記憶コントローラ１０６、キャプチャデバイス１１１、ＧＰＵ１１２、センサコントローラ１１４及び電子ペンコントローラ１１６を電気的に接続するためのアドレスバス及びデータバス等のバスライン１２０を備える。
【００２８】
なお、電子黒板２用のプログラムは、ＣＤ−ＲＯＭ等のコンピュータで読み取り可能な記録媒体に記録して流通させるようにしてもよい。
【００２９】
＜電子黒板の機能構成例＞
以下、電子黒板の機能構成の一例を説明する。まず、図３を用いて、電子黒板２の全体的な機能構成例を説明する。
【００３０】
図３は、電子黒板の機能構成の一例を示す機能ブロック図である。
【００３１】
電子黒板２は、図２に示すハードウェア構成及びプログラムによって、各機能構成を実現する。なお、電子黒板２は、最初に遠隔共有処理を開始する「主催装置」となり得ると共に、既に開始された遠隔共有処理に後から参加する「参加装置」にもなり得る。そのため、電子黒板２は、図示するように、主に、クライアント部２０及びサーバ部９０の両方を備える。なお、クライアント部２０及びサーバ部９０は、例えば、電子黒板２の１台の筐体内で実現される機能である。
【００３２】
そして、電子黒板２が主催装置となる場合には、この電子黒板２では、クライアント部２０と、サーバ部９０とが実現される。一方で、電子黒板２が参加装置となる場合には、この電子黒板２では、クライアント部２０は実現されるが、サーバ部９０は実現されない。すなわち、図１に示す例において、電子黒板２ａが主催装置であり、かつ、電子黒板２ｂが参加装置となる場合には、電子黒板２ａが有するクライアント部２０は、電子黒板２ａが有するサーバ部９０を介して、電子黒板２ｂが有するクライアント部２０と通信を行う。一方で、電子黒板２ｂが有するクライアント部２０は、電子黒板２ａが有するサーバ部９０を介して、電子黒板２ａが有するクライアント部２０と通信を行う。
【００３３】
〔クライアント部２０の機能構成例〕
続いて、主に図３乃至図５を用いて、クライアント部２０の機能構成の一例を説明する。図３に示すように、クライアント部２０は、映像取得部２１、座標検知部２２、自動調整部２３、接触検知部２４、イベント振分部２５、操作処理部２６、ジェスチャ処理部２７、映像重畳部２８、画像処理部３０及び通信制御部６０を備える。
【００３４】
このうち、映像取得部２１は、ケーブル１０によって接続される映像出力機器が出力する出力映像を取得する。また、映像取得部２１は、映像出力機器から画像信号を受信すると、この画像信号を解析して、この画像信号によって形成される映像出力機器の表示画像である画像フレームの解像度又はこの画像フレームの更新頻度等を示す画像情報を導出し、画像取得部３１に出力する。
【００３５】
座標検知部２２は、ディスプレイ３上で、ユーザの操作によって生じるイベント（ディスプレイ３上にユーザの手Ｈがタッチされる等）の座標位置を検知する。また、座標検知部２２は、タッチされた面積等を検出してもよい。
【００３６】
自動調整部２３は、例えば、電子黒板２が起動すると起動する。そして、自動調整部２３は、接触センサ１１５（図２）が座標検知部２２に座標値等を出力できるようにする。具体的には、自動調整部２３は、接触センサ１１５が行う光センサ方式において、使用されるセンサカメラによる画像処理に用いられるパラメータ等を調整する。
【００３７】
接触検知部２４は、ユーザの操作によって生じるイベント（ディスプレイ３上に電子ペン４のペン先又は電子ペン４のペン尻が押下（タッチ）される等）を検知する。
【００３８】
イベント振分部２５は、座標検知部２２によって検知されるイベントの座標位置と、接触検知部２４によって検知される検出結果とを、ストローク描画、ＵＩ操作又はジェスチャ操作等のイベントに振り分ける。例えば、イベントが生じると、イベントに応じて画像が生成され、画像は、以下のようなレイヤとなる。
【００３９】
図６は、各画像レイヤの一例の構成図である。
【００４０】
なお、「ストローク描画」は、図６に示すストローク画像（Ｂ）がディスプレイ３（図３）上に表示されている場合に行われるイベントである。例えば、「ストローク描画」は、ユーザがディスプレイ３上で電子ペン４（図３）を押下し、次に、この押下した状態で電子ペン４を移動させ、移動後にディスプレイ３上から電子ペン４を離すまでのイベントである。このストローク描画により、例えば、アルファベット「Ｓ」又は「Ｔ」等の文字が、電子黒板によって、ディスプレイ３上に描画される。なお、この「ストローク描画」には、画像を描画するだけでなく、既に描画された画像を削除したり、描画された画像を編集したりするイベントが含まれてもよい。
【００４１】
「ＵＩ操作」は、図６に示すＵＩ画像（Ａ）がディスプレイ３上に表示されている場合に行われるイベントである。例えば、「ＵＩ操作」は、ユーザが電子ペン４又は手Ｈによって、所定の位置を押下するイベントである。この「ＵＩ操作」により、例えば、電子ペン４によって描画される線の色又は幅等が設定される。
【００４２】
「ジェスチャ操作」は、図６に示すストローク画像（Ｂ）がディスプレイ３上に表示されている場合に行われるイベントである。例えば、「ジェスチャ操作」は、ユーザが手Ｈでディスプレイ３上をタッチしたり、移動させたりするイベントである。この「ジェスチャ操作」により、例えば、ユーザがディスプレイ３に手Ｈをタッチさせた状態で、手Ｈを移動させると、電子黒板は、画像の拡大（又は縮小）、表示領域の変更又はページ切り換え等を行うことができる。
【００４３】
図３に戻り、操作処理部２６は、イベント振分部２５によって「ＵＩ操作」と判断されると、「ＵＩ操作」の対象となったＵＩの要素に基づいて、各種操作に対応する処理を実行する。なお、ＵＩの要素は、例えば、ボタン、リスト、チェックボックス又はテキストボックス等のＧＵＩである。
【００４４】
ジェスチャ処理部２７は、イベント振分部２５によって「ジェスチャ操作」と判断されると、入力される「ジェスチャ」操作の種類に対応する処理を実行する。
【００４５】
映像重畳部２８は、表示重畳部３６によって重畳される画像を映像出力機器（ディスプレイ３等）に出力する。また、映像重畳部２８は、映像出力機器（ノートＰＣ６等）から送られる映像に対して、他の映像出力機器（テレビ会議端末７等）から送られる映像をピクチャ・イン・ピクチャする。さらに、映像重畳部２８は、ピクチャ・イン・ピクチャされ、ディスプレイ３の一部に表示された映像を、ディスプレイ３の全体に表示させるように切り替える。
【００４６】
画像処理部３０は、例えば、図６に示す各画像レイヤを重畳する重畳処理等の画像処理を行う。すなわち、重畳処理によって生成される画像（以下「重畳画像」という。）は、複数の画像を重ねて示す画像である。また、画像処理部３０は、画像取得部３１、ストローク処理部３２、ＵＩ画像生成部３３、背景生成部３４、レイアウト管理部３５、表示重畳部３６、ページ処理部３７、ファイル処理部４０、ページデータ記憶部３００及び遠隔ライセンス管理テーブル３１０を有する。
【００４７】
画像取得部３１は、映像取得部２１によって取得される映像から各フレームを画像として取得する。また、画像取得部３１は、画像データをページ処理部３７に出力する。この画像は、映像出力機器（ノートＰＣ６等）からの出力画像であり、図６に示す例では、出力画像（Ｃ）に相当する。
【００４８】
ストローク処理部３２は、イベント振分部２５によって振り分けられる「ストローク描画」のイベントが起こると、画像を描画したり、描画された画像を削除したり又は描画された画像を編集したりする。この「ストローク描画」による画像は、例えば、図６に示すストローク画像（Ｂ）等である。また、この「ストローク描画」に基づく画像の描画、削除又は編集等の各結果は、操作データとして、操作データ記憶部８４０（図５）に記憶される。
【００４９】
ＵＩ画像生成部３３は、電子黒板２にあらかじめ設定されるＵＩ（ユーザインターフェース）画像を生成する。なお、ＵＩ画像は、例えば、図６に示すＵＩ画像（Ａ）等である。
【００５０】
背景生成部３４は、ページ処理部３７がページデータ記憶部３００から読み出すページデータのうち、メディアデータをページ処理部３７から受信する。また、背景生成部３４は、受信するメディアデータを表示重畳部３６に出力する。なお、メディアデータによる画像は、例えば、図６に示す背景画像（Ｄ）等である。また、背景画像（Ｄ）は、無地又はグリッド表示等を示す画像である。また、背景画像（Ｄ）は、キャプチャされた画像等でもよい。すなわち、背景画像（Ｄ）は、文書又はプレゼンテーション資料等を示す画像等でもよい。また、背景画像データは、背景画像（Ｄ）を示すデータである。
【００５１】
なお、ストローク画像（Ｃ）及び背景画像（Ｄ）は、重畳して生成される重畳画像では、ストローク画像（Ｃ）が背景画像（Ｄ）より手前（図６では、左側）となる。したがって、重畳画像では、ストローク画像が示す手書きの文字等が、背景画像が示す資料等より手前に表示される。
【００５２】
レイアウト管理部３５は、表示重畳部３６に対して、画像取得部３１、ストローク処理部３２及びＵＩ画像生成部３３（又は背景生成部３４）から出力される各画像のレイアウトを管理する。これにより、レイアウト管理部３５は、表示重畳部３６に対して、出力画像（Ｃ）及びストローク画像（Ｂ）を、ＵＩ画像（Ａ）及び背景画像（Ｄ）中のどの位置に表示させるか又は非表示にさせるかを指示することができる。
【００５３】
表示重畳部３６は、レイアウト管理部３５から出力されるレイアウトの指示に基づき、画像取得部３１、ストローク処理部３２及びＵＩ画像生成部３３（背景生成部３４）から出力される各画像のレイアウトを行う。
【００５４】
ページ処理部３７は、例えば、ストローク画像（Ｂ）を示すデータと、出力画像（Ｃ）を示すデータを、１つのページデータにまとめてページデータ記憶部３００に記憶する。なお、ストローク画像（Ｂ）を示すデータは、例えば、ストローク配列データＩＤで示されるストローク配列データ（各ストロークデータ）として、ページデータの一部を成す。また、出力画像（Ｃ）を示すデータは、メディアデータＩＤで示されるメディアデータとして、ページデータの一部を成す。そして、このメディアデータは、ページデータ記憶部３００から読み出されると、背景画像（Ｄ）のデータとして取り扱われる。
【００５５】
また、ページ処理部３７は、背景生成部３４を介して、記憶されるページデータのうち、メディアデータを表示重畳部３６に送信する。このようにすると、映像重畳部２８が、背景画像（Ｄ）をディスプレイ３に再表示させる。また、ページ処理部３７は、ページデータのうち、ストローク配列データ（各ストロークデータ）を、ストローク処理部３２に戻すことで、ストロークの再編集ができる状態にすることができる。さらに、ページ処理部３７は、ページデータを削除したり複製したりすることもできる。
【００５６】
すなわち、ページ処理部３７がページデータ記憶部３００にページデータを記憶すると、ディスプレイ３上に表示されている出力画像（Ｃ）を示すデータは、ページデータ記憶部３００に記憶される。その後、出力画像（Ｃ）を示すデータは、ページデータ記憶部３００から読み出される場合には、背景画像（Ｄ）を示すメディアデータとして読み出される。そして、ページ処理部３７は、ページデータ記憶部３００から読み出したページデータのうち、ストローク画像（Ｂ）を示すストローク配列データを、ストローク処理部３２に出力する。また、ページ処理部３７は、ページデータ記憶部３００から読み出したページデータのうち、背景画像（Ｄ）を示すメディアデータを、背景生成部３４に出力する。
【００５７】
表示重畳部３６は、画像取得部３１からの出力画像（Ｃ）、ストローク処理部３２からのストローク画像（Ｂ）、ＵＩ画像生成部３３からのＵＩ画像（Ａ）及び背景生成部３４からの背景画像（Ｄ）を、レイアウト管理部３５による指示に従って重畳する。これにより、例えば、図６に示すように、画像は、各画像が重なってもユーザ（図６では左側から）が見える順に、ＵＩ画像（Ａ）、ストローク画像（Ｂ）、出力画像（Ｃ）及び背景画像（Ｄ）の各レイヤの構成となる。
【００５８】
また、表示重畳部３６は、図６に示す画像（Ｃ）と、画像（Ｄ）とを切り替えて、画像（Ａ）及び画像（Ｂ）に対して排他的に重畳することも可能である。例えば、当初、画像（Ａ）、画像（Ｂ）及び画像（Ｃ）が表示される状態において、電子黒板２と映像出力機器（ノートＰＣ６等）との間のケーブル１０が抜かれた場合には、レイアウト管理部３５の指定によって、画像（Ｃ）を重畳対象から外し、画像（Ｄ）を表示させることができる。この場合には、表示重畳部３６は、表示の拡大、表示の縮小又は表示領域の移動処理等を行ってもよい。
【００５９】
ページデータ記憶部３００は、例えば、下記（表１）に示すようなページデータを記憶する。
【００６０】
【表１】
2017138233.tif 000003
上記（表１）に示すページデータは、ディスプレイ３に表示される１ページ分のデータ（ストローク配列データ（各ストロークデータ）及びメディアデータ）である。なお、ページデータに含まれるパラメータの種類が多いため、以下、複数の表に分けて説明する。
【００６１】
ページデータは、上記（表１）に示すように、任意の１ページを識別するため、以下のようなデータを関連付けて記憶する。記憶されるデータは、例えば、ページデータＩＤ、このページの表示を開始した時刻を示す開始時刻及びストローク若しくはジェスチャ等によるページの内容の書き換えが終了した時刻を示す終了時刻等である。他にも、記憶されるデータは、電子ペン４若しくはユーザの手Ｈによるストロークによって生じるストローク配列データを識別するためのストローク配列データＩＤ等である。さらに、記憶されるデータは、メディアデータを識別するためのメディアデータＩＤ等である。なお、ストローク配列データは、図６に示すストローク画像（Ｂ）をディスプレイ３上に表示するためのデータである。また、メディアデータは、図６に示す背景画像（Ｄ）をディスプレイ３上に表示するためのデータである。
【００６２】
例えば、ユーザが電子ペン４によって、アルファベットの「Ｓ」の文字を描く場合は、一筆書きとなる。この場合には、ページデータでは、ストロークデータＩＤが１つで一文字のアルファベットの「Ｓ」が示される。一方で、ユーザが電子ペン４によって、アルファベットの「Ｔ」の文字を描く場合は、二筆書きとなる。そのため、ページデータでは、ストロークデータＩＤが２つで一文字のアルファベット「Ｔ」が示される。
【００６３】
また、ストローク配列データは、例えば、下記（表２）に示すデータである。
【００６４】
【表２】
2017138233.tif 000004
上記（表２）に示すように、１つのストローク配列データは、複数のストロークデータによって示される。なお、上記（表２）は、１行が１つのストロークデータである例を示す。そして、１つのストロークデータは、例えば、各ストロークデータを識別するためのストロークデータＩＤを有する。また、１つのストロークデータは、１つのストロークの書き始めの時刻を示す開始時刻及び１つのストロークの書き終わりの時刻を示す終了時刻を有する。さらに、１つのストロークデータは、ストロークの色、ストロークの幅及びストロークの通過点の配列を識別するための座標配列データＩＤを有する。
【００６５】
また、上記（表２）に示す例において、「座標配列データＩＤ」で特定される座標配列データは、例えば、下記（表３）に示すデータである。
【００６６】
【表３】
2017138233.tif 000005
上記（表３）では、座標配列データは、ディスプレイ３上の１点（Ｘ座標値及びＹ座標値）、ストロークの開始時刻から座標値が示す点を通過した時刻の差分となる差分時刻（ｍｓ）及びストロークが描画された際の電子ペン４の筆圧等を示す。すなわち、上記（表３）に示す１点の集まりが、上記（表２）に示す１つの座標配列データを示す。例えば、ユーザが電子ペン４によってアルファベットの「Ｓ」の文字を描く場合、すなわち、一筆書きの場合には、「Ｓ」を描くのに複数の通過点を通過する。そのため、座標配列データは、これら複数の通過点に係るデータを示す。
【００６７】
また、上記（表１）に示すページデータのうち、メディアデータは、例えば、下記（表４）に示すデータである。
【００６８】
【表４】
2017138233.tif 000006
上記（表４）に示すように、メディアデータは、上記（表１）に示すページデータにおけるメディアデータＩＤに関連付けして各データを記憶する。上記（表４）に示す例では、関連付けされて記憶されるデータは、メディアデータのデータ種類及びページ処理部３７からページデータ記憶部３００にページデータが記憶された記録時刻等である。また、関連付けされて記憶されるデータは、ページデータによってディスプレイ３上に表示される画像の位置（Ｘ座標値及びＹ座標値）、画像のサイズ（幅及び高さ）及びファイル名等である。このうち、ページデータによってディスプレイ３上に表示される画像の位置は、ディスプレイ３の左上端の座標を（Ｘ座標値，Ｙ座標値）＝（０，０）とした場合に、ページデータによって表示される画像の左上端の位置を示す。
【００６９】
図３に戻り、遠隔ライセンス管理テーブル３１０は、遠隔共有処理を実行するために必要なライセンスデータを管理する。なお、ライセンスデータは、例えば、下記（表５）に示す遠隔ライセンス管理テーブル３１０等である。
【００７０】
【表５】
2017138233.tif 000007
上記（表５）に示す遠隔ライセンス管理テーブル３１０の例では、電子黒板２のプロダクトＩＤ、認証に用いられるライセンスＩＤ及びライセンスの有効期限等が、関連付されて管理される。
【００７１】
（ファイル処理部４０の機能構成例）
以下、図３に示すファイル処理部４０の機能構成例を説明する。
【００７２】
図４は、ファイル処理部の一例を示す機能ブロック図である。例えば、ファイル処理部４０は、リカバリ処理部４１、ファイル入力部４２ａ、ファイル出力部４２ｂ及びファイル変換部４３を有する。また、ファイル処理部４０は、ファイル送信部４４、アドレス帳入力部４５、バックアップ処理部４６、バックアップ出力部４７、設定管理部４８、設定ファイル入力部４９ａ及び設定ファイル出力部４９ｂを有する。さらに、ファイル処理部４０は、アドレス帳管理テーブル４１０、バックアップデータ記憶部４２０、設定ファイル記憶部４３０及び接続先管理テーブル４４０を有する。
【００７３】
リカバリ処理部４１は、電子黒板２が異常終了すると、異常終了を検出し、未保存のページデータを復旧する。例えば、正常終了であると、ページデータは、ＰＤＦ等のファイル形式で、ファイル処理部４０を介してＵＳＢ５に記憶される。一方で、電源がダウンした等の異常終了であると、ページデータがページデータ記憶部３００に記憶されたままとなる。そのため、再び、電源オンになった際に、リカバリ処理部４１は、ページデータ記憶部３００からページデータを読み出して復旧させる。
【００７４】
ファイル入力部４２ａは、ＵＳＢメモリ５から、ＰＤＦファイル等を読み込み、各ページをページデータとしてページデータ記憶部３００に記憶する。
【００７５】
ファイル変換部４３は、ページデータ記憶部３００に記憶されるページデータをＰＤＦ等のファイル形式に変換する。
【００７６】
ファイル出力部４２ｂは、ファイル変換部４３によって出力されるＰＤＦファイルをＵＳＢメモリ５に記録する。
【００７７】
ファイル送信部４４は、ファイル変換部４３によって生成されるＰＤＦファイルを、電子メールに添付して送信する。例えば、まず、表示重畳部３６（図３）によって、ディスプレイ３上にアドレス帳管理テーブル４１０が表示される。次に、ユーザによるタッチパネル等の入力装置を用いる操作で入力される送信先、すなわち、宛先の選択を電子黒板が受け付けると、送信先が決定される。なお、アドレス帳管理テーブル４１０は、例えば、下記（表６）に示すデータである。
【００７８】
【表６】
2017138233.tif 000008
上記（表６）に示すように、アドレス帳管理テーブル４１０では、宛先の名前及び宛先となる電子メールのメールアドレス等が関連付けされて管理される。また、ファイル送信部４４は、ユーザによるタッチパネル等の入力装置を用いる操作により、メールアドレスを示す文字入力を受け付けてもよい。
【００７９】
アドレス帳入力部４５は、ＵＳＢメモリ５から電子メールアドレスの一覧ファイルを読み込み、アドレス帳管理テーブル４１０に管理する。
【００８０】
バックアップ処理部４６は、ファイル出力部４２ｂによって出力されるファイル又はファイル送信部４４によって送信されるファイルをバックアップデータ記憶部４２０に記憶してバックアップする。なお、ユーザがバックアップしないように設定する場合には、バックアップの処理は、行われなくともよい。なお、バックアップデータは、例えば、下記（表７）に示すようなデータである。
【００８１】
【表７】
2017138233.tif 000009
上記（表７）に示す例では、ＰＤＦ形式で各データを記憶して、各バックアップが行われる例である。
【００８２】
バックアップ出力部４７は、バックアップされたファイルをＵＳＢメモリ５に記憶する。この記憶の際には、ユーザによるタッチパネル等の入力装置の操作により、セキュリティのためにパスワード等が入力される。
【００８３】
設定管理部４８は、電子黒板２が有する設定データを設定ファイル記憶部４３０に記憶したり、読み出したりして管理する。具体的には、設定データは、例えば、ネットワーク設定、日付並びに時刻の設定、地域並びに言語の設定、メールサーバの設定、アドレス帳の設定、接続先リストの設定又はバックアップに関する設定等を示す。なお、ネットワーク設定は、例えば、電子黒板２のＩＰアドレスの設定、ネットマスクの設定、デフォルトゲートウェイの設定又はＤＮＳ（Ｄｏｍａｉｎ  Ｎａｍｅ  Ｓｙｓｔｅｍ）の設定等である。
【００８４】
設定ファイル出力部４９ｂは、電子黒板２に係る設定データを設定ファイルとしてＵＳＢメモリ５に記憶する。なお、設定ファイルは、セキュリティによって、ユーザは、中身を見ることができないようにされてもよい。
【００８５】
設定ファイル入力部４９ａは、ＵＳＢメモリ５に記憶される設定ファイルを読み込み、電子黒板に係る設定に反映させる。
【００８６】
アドレス帳入力部５０は、ＵＳＢメモリ５から遠隔共有処理の接続先ＩＰアドレスを示す接続先リストのファイルを読み込み、接続先管理テーブル４４０に管理する。例えば、接続先リストは、下記（表８）に示すデータ等である。
【００８７】
【表８】
2017138233.tif 000010
上記（表８）に示す接続先リストを用いると、電子黒板２が参加装置である場合には、この参加装置のユーザは、主催装置としての役割を果たす電子黒板のＩＰアドレスを入力する手間を削減できる。そのため、接続先リストは、接続先管理テーブル４４０等で管理される。また、接続先管理テーブル４４０には、参加することが可能な主催装置である電子黒板２が設置されている拠点の名称及び主催装置のＩＰアドレスが、関連付けて管理される。
【００８８】
なお、接続先管理テーブル４４０は、無くてもよい。ただし、この場合には、参加装置のユーザは、主催装置との間で遠隔要求処理の開始するために、タッチパネル等の入力装置によって、主催装置のＩＰアドレスを入力する。そのため、参加装置のユーザは、電話又は電子メール等によって、主催装置のユーザから、主催装置のＩＰアドレスを知得する。
【００８９】
（通信制御部６０の機能構成例）
以下、図３に示す通信制御部６０の機能構成例を説明する。
【００９０】
図５は、サーバ部及び送信制御部の一例を示す機能ブロック図である。例えば、通信制御部６０は、通信ネットワーク９を介して、他の電子黒板２との通信又はサーバ部９０における通信制御部７０との通信を制御する。
【００９１】
そのため、通信制御部６０は、遠隔開始処理部６１、遠隔参加処理部６２、遠隔画像送信部６３、遠隔画像受信部６４、遠隔操作送信部６５、遠隔操作受信部６６及び参加拠点管理テーブル６１０を有する。
【００９２】
遠隔開始処理部６１は、同じ電子黒板２が有するサーバ部９０に対して、新たに遠隔共有処理を開始する要求を行い、サーバ部９０から要求の結果を受信する。この場合には、遠隔開始処理部６１は、遠隔ライセンス管理テーブル３１０を参照する。具体的には、遠隔開始処理部６１は、ライセンス情報（プロダクトＩＤ、ライセンスＩＤ及び有効期限等）が管理されている場合には、ライセンス情報を参照し、遠隔共有処理を開始する要求を行うことができる。一方で、ライセンス情報が管理されていない場合には、遠隔開始処理部６１は、遠隔共有処理を開始する要求が制限される。
【００９３】
参加拠点管理テーブル６１０は、電子黒板が主催装置である場合には、現在、遠隔共有処理に参加している参加装置を管理するテーブルである。例えば、参加拠点管理テーブル６１０は、下記（表９）に示すデータである。
【００９４】
【表９】
2017138233.tif 000011
上記（表９）に示すように、参加拠点管理テーブル６１０では、参加中の電子黒板２が設置されている拠点の名称及び当該電子黒板２のＩＰアドレスが、関連付されて管理される。
【００９５】
遠隔参加処理部６２は、通信ネットワーク９を介して、既に遠隔共有処理を開始している主催装置が有するサーバ部９０における遠隔接続要求受信部７１に対して参加要求を行う。なお、参加要求の際には、遠隔参加処理部６２は、遠隔ライセンス管理テーブル３１０を参照する。また、遠隔参加処理部６２は、既に開始されている遠隔共有処理に参加する場合には、接続先管理テーブル４４０を参照して参加先となる電子黒板２のＩＰアドレスを取得する。なお、遠隔参加処理部６２によって接続先管理テーブルが参照されず、ユーザによるタッチパネル等の入力装置の操作により、参加先となる電子黒板２のＩＰアドレスが数字で入力されてもよい。
【００９６】
遠隔画像送信部６３は、映像取得部２１（図３）から画像取得部３１を介して送られる出力画像（Ｃ）を、サーバ部９０に送信する。
【００９７】
遠隔画像受信部６４は、サーバ部９０から、他の電子黒板２に接続された映像出力機器から送信される画像データを受信し、表示重畳部３６に出力する。これにより、電子黒板は、遠隔共有処理を実現する。
【００９８】
遠隔操作送信部６５は、遠隔共有処理に用いる操作データをサーバ部９０に送信する。例えば、操作データは、ストロークの追加、ストロークの削除、ストロークの編集（拡大、縮小又は移動）、ページデータの記憶、ページデータの作成、ページデータの複製、ページデータの削除又は表示されているページの切り替えに関するデータである。
【００９９】
遠隔操作受信部６６は、サーバ部９０から、他の電子黒板２に入力される操作データを受信し、画像処理部３０に出力して遠隔共有処理を実現する。
【０１００】
また、クライアント部２０は、図３に示すように、判定部２０Ａ１と、変更部２０Ａ２とを備える。
【０１０１】
判定部２０Ａ１は、画像処理部３０が生成する画像データ等を記憶する記憶領域、いわゆる保存先（以下「記憶先」という。）がＵＳＢメモリ５等の外部装置であるか否かを判定する。
【０１０２】
変更部２０Ａ２は、判定部２０Ａ１によって、記憶先が外部装置と判定されると、記憶される画像データを変更して、記憶先に変更された画像データが記憶されるようにする。
【０１０３】
なお、判定部２０Ａ１及び変更部２０Ａ２は、例えば、ＣＰＵ１０１（図２）等によって実現される。また、判定部２０Ａ１及び変更部２０Ａ２による処理の詳細は、後述する。
【０１０４】
〔サーバ部９０の機能構成例〕
以下、サーバ部９０の機能構成例について説明する。
【０１０５】
サーバ部９０は、例えば、各電子黒板２に設けられる。すなわち、いずれの電子黒板２であっても、電子黒板２は、サーバとしての役割を果たすことができる。そのため、サーバ部９０は、通信制御部７０及びデータ管理部８０を有する。
【０１０６】
〔通信制御部７０の機能構成例〕
以下、通信制御部７０の機能構成例について説明する。
【０１０７】
通信制御部７０は、同じ電子黒板２内のクライアント部２０における通信制御部７０及び通信ネットワーク９を介して他の電子黒板２内のクライアント部２０における通信制御部７０との通信を制御する。データ管理部８０は、操作データや画像データ等を管理する。
【０１０８】
通信制御部７０は、遠隔接続要求受信部７１、遠隔接続結果送信部７２、遠隔画像受信部７３、遠隔画像送信部７４、遠隔操作受信部７５及び遠隔操作送信部７６を有する。
【０１０９】
遠隔接続要求受信部７１は、遠隔開始処理部６１からの遠隔共有処理の開始要求を受信したり、遠隔参加処理部６２からの遠隔共有処理に対する参加要求を受信したりする。
【０１１０】
遠隔接続結果送信部７２は、遠隔開始処理部６１へ遠隔共有処理の開始要求の結果を送信したり、遠隔参加処理部６２へ遠隔共有処理に対する参加要求の結果を送信したりする。
【０１１１】
遠隔画像受信部７３は、遠隔画像送信部６３からの画像データ（図６に示す出力画像（Ｃ）のデータ等）を受信し、遠隔画像処理部８２に送信する。
【０１１２】
遠隔画像送信部７４は、遠隔画像処理部８２から画像データを受信し、遠隔画像受信部６４に対して、画像データ（図６に示す出力画像（Ｃ）のデータ等）を送信する。
【０１１３】
遠隔操作受信部７５は、遠隔操作送信部６５からの操作データ（図６に示すストローク画像（Ｂ）等のデータ等）を受信し、遠隔操作処理部８３に送信する。
【０１１４】
遠隔操作送信部７６は、遠隔操作処理部８３から操作データを受信し、遠隔操作受信部６６に対して、操作データ（図６に示すストローク画像（Ｂ）等のデータ等）を送信する。
【０１１５】
〔データ管理部８０の機能構成例〕
以下、データ管理部８０の機能構成例を説明する。
【０１１６】
データ管理部８０は、遠隔接続処理部８１、遠隔画像処理部８２、遠隔操作処理部８３、操作合成処理部８４及びページ処理部８５を有する。さらに、サーバ部９０は、パスコード管理部８１０、参加拠点管理テーブル８２０、画像データ記憶部８３０、操作データ記憶部８４０及びページデータ記憶部８５０を有する。
【０１１７】
遠隔接続処理部８１は、遠隔共有処理の開始及び遠隔共有処理の終了を行う。また、遠隔接続処理部８１は、遠隔接続要求受信部７１が、受信するライセンス情報に基づいて、ライセンスの有無又はライセンスの期間内であるか否か等を確認する。なお、ライセンス情報は、遠隔開始処理部６１から遠隔共有処理の開始要求と共に受信する又は遠隔参加処理部６２から遠隔共有処理の参加要求と共に受信する。さらに、遠隔接続処理部８１は、クライアント部２０としての他の電子黒板２からの参加要求があらかじめ定められる参加可能数を超えていないか否か等を確認する。
【０１１８】
また、遠隔接続処理部８１は、他の電子黒板２から遠隔共有処理に対する参加要求の際に送られるパスコードが、パスコード管理部８１０で管理されるパスコードと同じであるか否かを判断し、同じである場合には、遠隔共有処理の参加を許可する。なお、このパスコードは、新たに遠隔共有処理を開始する際に、遠隔接続処理部８１によって発行される。そして、遠隔共有処理に参加しようとする参加装置としての電子黒板２のユーザは、主催装置としての電子黒板２のユーザから、電話又は電子メール等によって伝えられる。これにより、遠隔共有処理に参加しようとする参加装置のユーザが、タッチパネル等の入力装置によって、参加装置にパスコードを入力して参加要求すると、参加が許可されることになる。なお、主催装置は、セキュリティよりもユーザの使い勝手を優先して、パスコードの確認を省略してもよい。
【０１１９】
また、主催装置である場合には、遠隔接続処理部８１は、参加装置の遠隔参加処理部６２から通信ネットワーク９を介して送られる参加要求に含まれる参加拠点情報を、サーバ部９０の参加拠点管理テーブル８２０に記憶する。そして、遠隔接続処理部８１は、参加拠点管理テーブル８２０に記憶されている遠隔拠点情報を読み出し、遠隔接続結果送信部７２に送信する。
【０１２０】
遠隔接続結果送信部７２は、同じ主催装置のクライアント部２０における遠隔開始処理部６１に遠隔拠点情報を送信する。また、遠隔開始処理部６１は、参加拠点管理テーブル６１０に、遠隔拠点情報を記憶する。これにより、主催装置は、クライアント部２０及びサーバ部９０の両方で、遠隔拠点情報を管理する。
【０１２１】
遠隔画像処理部８２は、遠隔共有処理に参加中の各電子黒板２が有するクライアント部（主催装置である電子黒板が有するクライアント部を含む。）に接続される映像出力機器（ノートＰＣ６等）からの画像データ（図６に示す出力画像（Ｃ））を受信する。また、主催装置となる電子黒板２は、受信した画像データを画像データ記憶部８３０に記憶する。さらに、主催装置となる電子黒板２は、サーバ部９０に送られた時間順で遠隔共有処理すべき画像データの表示順を判定する。
【０１２２】
遠隔画像処理部８２は、参加拠点管理テーブル８２０を参照する。そして、遠隔画像処理部８２は、遠隔共有処理に参加中の電子黒板２が有するクライアント部（主催装置となる電子黒板が有するクライアント部を含む。）に、通信制御部７０（遠隔画像送信部７４）を介して、上記判定した順番で画像データを送信する。
【０１２３】
遠隔操作処理部８３は、遠隔共有処理に参加中の各電子黒板２が有するクライアント部（主催装置となる電子黒板が有するクライアント部を含む。）で描画されたストローク画像等の各種操作データ（図６に示すストローク画像（Ｂ）等）を受信する。そして、遠隔操作処理部８３は、主催装置となる電子黒板２が有するサーバ部９０に、操作データが届いた時間順で遠隔共有処理すべき画像の表示順を判定する。なお、各種操作データは、上記各種操作データと同じである。また、遠隔操作処理部８３は、参加拠点管理テーブル８２０を参照し、遠隔共有処理に参加中の電子黒板２が有するクライアント部（主催装置となる電子黒板が有するクライアント部を含む。）に操作データを送信する。
【０１２４】
操作合成処理部８４は、遠隔操作処理部８３から出力された各電子黒板２の操作データを合成し、この合成結果としての操作データを、操作データ記憶部８４０に記憶する。さらに、操作合成処理部８４は、合成した操作データを遠隔操作処理部８３に送る。この操作データは、遠隔操作送信部７６から、主催装置となる電子黒板が有するクライアント部及び参加装置となる電子黒板が有するクライアント部のそれぞれに送信される。これにより、各電子黒板２では、同じ操作データに係る画像が表示される。なお、操作データは、例えば、下記（表１０）に示すデータである。
【０１２５】
【表１０】
2017138233.tif 000012
上記（表１０）に示すように、操作データは、ＳＥＱ（Ｓｅｑｕｅｎｃｅ）、データの操作名及び操作データの送信元である電子黒板２のＩＰアドレス等を示す。また、操作データは、クライアント部（サーバ部）のＰｏｒｔ  Ｎｏ.、操作データの送信先である電子黒板２のＩＰアドレス及びクライアント部（サーバ部）のＰｏｒｔ  Ｎｏ．及び操作データの操作種類等を示す。さらに、操作データは、操作データの操作対象及び操作データの内容を示すデータを示す。なお、上記（表１０）に示すように、操作データの各項目は、関連付けがされる。例えば、「ＳＥＱ１」では、主催装置となる電子黒板（ＩＰアドレス：１９２．０．０．１）が有するクライアント部（Ｐｏｒｔ  Ｎｏ．:５０００１）でストロークが描画されるとする。この場合には、上記（表１０）は、主催装置となる電子黒板（ＩＰアドレス：１９２．０．０．１）が有するサーバ部（Ｐｏｒｔ  Ｎｏ．：５００００）に操作データが送られたと示す。なお、この場合の操作種類は、「ＳＴＲＯＫＥ」、操作対象は、ページデータＩＤ「ｐ００５」であり、操作データの内容を示すデータは、ストロークを示すデータである。また、「ＳＥＱ２」は、主催装置となる電子黒板（ＩＰアドレス：１９２．０．０．１）が有するサーバ部（Ｐｏｒｔ  Ｎｏ．:５００００）から、参加装置となる他の電子黒板（ＩＰアドレス：１９２．０．０．１）が有するクライアント部（Ｐｏｒｔ  Ｎｏ．：５０００１）に、操作データが送られたことを示す。
【０１２６】
なお、操作合成処理部８４は、この操作合成処理部８４に操作データが入力された順に合成を行う。そのため、通信ネットワーク９が混雑していなければ、各電子黒板２のユーザによるストローク順に、遠隔共有処理に参加中の全ての電子黒板２が有するディスプレイ３にストローク画像（Ｂ）が表示される。
【０１２７】
ページ処理部８５は、クライアント部２０が有する画像処理部３０におけるページ処理部３７と同様の機能を有する。そして、サーバ部９０でも、上記（表１）乃至（表３）に示すページデータを、ページデータ記憶部８５０に記憶する。なお、ページデータ記憶部８５０は、画像処理部３０におけるページデータ記憶部３００と同じ内容であるため、その説明を省略する。
【０１２８】
＜処理例又は動作例＞
以下、本実施形態における処理例又は動作例について説明する。なお、図７及び図８は、各電子黒板による処理の一例を示すシーケンス図である。
【０１２９】
図７及び図８に示す例では、電子黒板２ａが、遠隔共有処理を主催する主催装置（サーバ部及びクライアント部）となる。一方で、図７及び図８に示す例では、電子黒板２ｂ、２ｃが、遠隔共有処理に参加する参加装置（クライアント部）となる。また、ここでは、電子黒板２ａ、２ｂ、２ｃには、それぞれディスプレイ３ａ、３ｂ、３ｃが接続される。さらに、電子黒板２ａ、２ｂ、２ｃには、それぞれノートＰＣ６ａ，６ｂ，６ｃが接続される。また、電子黒板２ａ、２ｂ、２ｃでは、それぞれ電子ペン４ａ、４ｂ、４ｃが、使用される。
【０１３０】
（参加の処理例）
以下、電子黒板２ｂ，２ｃが遠隔共有処理に参加するための処理の一例を説明する。
【０１３１】
ユーザの操作によって、電子黒板２ａが有する電源スイッチがオンとなると、電子黒板２ａが有するクライアント部２０が、起動する。そして、ユーザがタッチパネル等の入力装置によってサーバ部９０を起動させる操作を入力する。このようにすると、クライアント部２０が有する遠隔開始処理部６１から、同じ電子黒板２ａが有するサーバ部９０における遠隔接続要求受信部７１に、サーバ部９０の処理を開始させる指示が出力される。これにより、電子黒板２ａでは、クライアント部２０だけでなく、サーバ部９０も、各種処理を開始する（ステップＳ２１）。
【０１３２】
次に、電子黒板２ａが有するクライアント部２０におけるＵＩ画像生成部３３が、電子黒板２ａとの接続を確立するための接続情報を生成する。そして、映像重畳部２８は、ＵＩ画像生成部３３から表示重畳部３６を介して得た接続情報をディスプレイ３ａに表示させる（ステップＳ２２）。この接続情報には、主催装置のＩＰアドレスと、今回の遠隔共有処理のために生成されたパスコードとが含まれる。この場合では、パスコード管理部８１０に記憶されるパスコードは、図５に示す遠隔接続処理部８１によって読み出される。また、パスコードは、遠隔接続結果送信部７２及び遠隔開始処理部６１の順に送信される。さらに、パスコードは、遠隔開始処理部６１を含む通信制御部６０から、図３に示す画像処理部３０に送信され、最終的にＵＩ画像生成部３３に入力される。これにより、接続情報には、パスコードが含まれる。そして、接続情報は、電子黒板２ａのユーザによって、電話又は電子メール等により、電子黒板２ｂ、２ｃのユーザに伝えられる。なお、接続先管理テーブル４４０があれば、接続情報に主催装置のＩＰアドレスが含まれなくても、参加装置は、参加要求を行うことができる。
【０１３３】
次に、電子黒板２ｂ、２ｃでは、各ユーザによるタッチパネル等の入力装置の操作によって接続情報の入力を受け付けると、各電子黒板２ａ、２ｂが有するクライアント部２０における遠隔参加処理部６２は、接続情報のＩＰアドレスに基づいて、通信ネットワーク９を介して、電子黒板２ａが有するサーバ部９０における通信制御部７０に対してパスコードを送信して参加要求を行う（ステップＳ２３、Ｓ２４）。これにより、通信制御部７０の遠隔接続要求受信部７１は、各電子黒板２ｂ、２ｃから、参加要求（パスコードを含む。）を受信し、このパスコードを遠隔接続処理部８１に出力する。
【０１３４】
次に、遠隔接続処理部８１は、各電子黒板２ｂ、２ｃのから受信するパスコードに対し、パスコード管理部８１０で管理されるパスコードを用いて認証する（ステップＳ２５）。そして、遠隔接続結果送信部７２が、各電子黒板２ｂ，２ｃのクライアント部２０に認証結果を通知する（ステップＳ２６、Ｓ２７）。ステップＳ２５の認証により、各電子黒板２ｂ，２ｃが正当な電子黒板であると判断されると、主催装置となる電子黒板２ａと、参加装置となる電子黒板２ｂ、２ｃとの遠隔共有処理の通信が確立される。これによって、各電子黒板２ｂ、２ｃが有するクライアント部２０における遠隔参加処理部６２が、それぞれ他の電子黒板との間の遠隔共有処理の開始を可能にする（ステップＳ２８、Ｓ２９）。
【０１３５】
（出力画像の表示例）
以下、遠隔共有処理における出力画像（Ｃ）（図６）が表示される処理の一例を説明する。
【０１３６】
まず、電子黒板２ｂは、ディスプレイ３ｂ（図１）に出力画像（Ｃ）を表示する（ステップＳ３０）。具体的には、電子黒板２ｂが有する画像取得部３１が、ノートＰＣ６ｂ（図１）から映像取得部２１（図３）を介して、ノートＰＣ６ｂで表示されている出力画像（Ｃ）を示すデータを受信する。次に、表示重畳部３６及び映像重畳部２８を介して、受信したデータがディスプレイ３ｂに送信されると、ディスプレイ３ｂは、出力画像（Ｃ）を表示する。
【０１３７】
次に、電子黒板２ｂが有する画像取得部３１（図３）を含む画像処理部３０（図３）が、遠隔画像送信部６３（図５）に出力画像（Ｃ）のデータを送信する。次に、遠隔画像送信部６３を含む通信制御部６０（図５）が通信ネットワーク９（図５）を介して、主催装置となる電子黒板２ａが有する通信制御部７０（図５）に出力画像（Ｃ）のデータを送信する（ステップＳ３１）。これにより、電子黒板２ａが有する遠隔画像受信部７３（図５）は、出力画像（Ｃ）のデータを受信する。さらに、遠隔画像受信部７３が遠隔画像処理部８２（図５）に受信したデータを出力すると、遠隔画像処理部８２は、画像データ記憶部８３０（図５）に出力画像（Ｃ）のデータを記憶する。
【０１３８】
次に、主催装置となる電子黒板２ａは、ディスプレイ３ａ（図１）に出力画像（Ｃ）を表示する（ステップＳ３２）。具体的には、電子黒板２ａが有する遠隔画像処理部８２は、遠隔画像受信部７３から受信した出力画像（Ｃ）のデータを、遠隔画像送信部７４に出力する。続いて、遠隔画像送信部７４は、同じ主催装置である電子黒板２ａが有するクライアント部２０における遠隔画像受信部６４に、出力画像（Ｃ）のデータを出力する。そして、遠隔画像受信部６４は、表示重畳部３６（図３）に出力画像（Ｃ）のデータを出力する。さらに、表示重畳部３６は、映像重畳部２８（図３）に出力画像（Ｃ）のデータを出力する。次に、映像重畳部２８は、ディスプレイ３ａに出力画像（Ｃ）のデータを出力する。これにより、ディスプレイ３ａは、出力画像（Ｃ）を表示する。
【０１３９】
次に、主催装置である電子黒板２ａが有するサーバ部９０（図３）における遠隔画像送信部７４を含む通信制御部７０は、通信ネットワーク９を介して、出力画像（Ｃ）のデータを送信する（ステップＳ３３）。なお、送信先は、出力画像（Ｃ）のデータの送信元である電子黒板２ｂ以外の電子黒板２ｃが通信制御部６０である。これにより、参加装置である電子黒板２ｃが有する遠隔画像受信部６４は、出力画像（Ｃ）のデータを受信する。
【０１４０】
次に、電子黒板２ｃは、ディスプレイ３ｃに出力画像（Ｃ）を表示する（ステップＳ３４）。具体的には、電子黒板２ｃの遠隔画像受信部６４が、上記ステップＳ３３によって受信された出力画像（Ｃ）のデータを、電子黒板２ｃの表示重畳部３６に出力する。表示重畳部３６は、映像重畳部２８に出力画像（Ｃ）のデータを出力する。映像重畳部２８はディスプレイ３ｃに出力画像（Ｃ）のデータを出力する。これにより、ディスプレイ３ｃは、出力画像（Ｃ）を表示する。
【０１４１】
なお、出力画像（Ｃ）のデータだけでなく、図６に示すＵＩ画像（Ａ）及びストローク画像（Ｂ）の各データが、入力されている場合には、表示重畳部３６により、重畳画像（Ａ、Ｂ、Ｃ）が生成される。そして、映像重畳部２８は、ディスプレイ３ｃに重畳画像（Ａ、Ｂ、Ｃ）のデータを出力する。また、テレビ会議端末７から映像重畳部２８に、テレビ会議用の映像（Ｅ）のデータが送られた場合には、映像重畳部２８は、重畳画像（Ａ，Ｂ，Ｃ）にピクチャ・イン・ピクチャにより、テレビ会議用の映像（Ｅ）のデータを重畳して、ディスプレイ３ｃに出力する。なお、テレビ会議用の映像（Ｅ）は、図３に示すテレビ会議端末７又は通信ネットワーク９（図３）を介して他の端末から受信する出力映像である。
【０１４２】
（重畳画像の表示例）
以下、図８を用いて、遠隔共有処理における重畳画像が表示される処理の一例を説明する。
【０１４３】
まず、電子黒板２ｂは、ユーザが電子ペン４ｂを用いて描画するストロークを示すストローク画像（Ｂ）（図６）を描画する（ステップＳ４１）。
【０１４４】
次に、電子黒板２ｂが有する表示重畳部３６（図３）は、図６に示すように、ＵＩ画像（Ａ）及び出力画像（Ｃ）に対して、ストローク画像（Ｂ）を重畳する。このようにして、映像重畳部２８は、電子黒板２ｂのディスプレイ３ｂ（図１）上に、重畳された重畳画像（Ａ、Ｂ、Ｃ）を表示させる（ステップＳ４２）。具体的には、電子黒板２ｂが有するストローク処理部３２（図３）は、座標検知部２２（図３）及び接触検知部２４（図３）からイベント振分部２５（図３）を介して、操作データとしてのストローク画像（Ｂ）のデータを受信する。これにより、各データが表示重畳部３６に送信される。そのため、表示重畳部３６は、ＵＩ画像（Ａ）及び出力画像（Ｃ）に対して、ストローク画像（Ｂ）を重畳することができる。ゆえに、映像重畳部２８は、電子黒板２ｂのディスプレイ３ｂ上に重畳画像（Ａ、Ｂ、Ｃ）を表示させることができる。
【０１４５】
次に、電子黒板２ｂが有するストローク処理部３２（図３）を含む画像処理部３０が、遠隔操作送信部６５（図５）にストローク画像（Ｂ）のデータを送信する。さらに、電子黒板２ｂが有する遠隔操作送信部６５は、通信ネットワーク９（図１）を介して、主催装置となる電子黒板２ａが有する通信制御部７０（図５）にストローク画像（Ｂ）のデータを送信する（ステップＳ４３）。これにより、電子黒板２ａが有する遠隔操作受信部７５（図５）は、ストローク画像（Ｂ）のデータを受信する。次に、遠隔操作受信部７５は、受信したデータを遠隔操作処理部８３に出力することで、遠隔操作処理部８３が操作合成処理部８４にストローク画像（Ｂ）のデータを出力する。このようにして、電子黒板２ｂで描画されたストローク画像（Ｂ）のデータは、描画されるごとに、主催装置となる電子黒板２ａが有する遠隔操作処理部８３に順次送信される。このストローク画像（Ｂ）のデータは、上記（表２）に示すストロークデータＩＤごとに示されるデータである。よって、例えば、ユーザが電子ペン４でアルファベット「Ｔ」の文字を描くと、二筆書きとなるため、２つのストロークデータＩＤのそれぞれで示されるストローク画像（Ｂ）のデータが順次送信される。
【０１４６】
次に、主催装置である電子黒板２ａは、ディスプレイ３ａに、電子黒板２ｂから送られて来たストローク画像（Ｂ）のデータが含まれた重畳画像（Ａ、Ｂ、Ｃ）を表示する（ステップＳ４４）。具体的には、電子黒板２ａが有する操作合成処理部８４は、遠隔操作処理部８３を介して、順次送られる複数のストローク画像（Ｂ）のデータを合成して、操作データ記憶部８４０に記憶すると共に遠隔操作処理部８３に戻す。これにより、遠隔操作処理部８３は、操作合成処理部８４から受信した、合成後のストローク画像（Ｂ）のデータを、遠隔操作送信部７６に出力する。遠隔操作送信部７６は、主催装置となる電子黒板２ａが有するクライアント部２０における遠隔操作受信部６６に、合成後のストローク画像（Ｂ）のデータを出力する。また、遠隔操作受信部６６は、画像処理部３０における表示重畳部３６に、合成後のストローク画像（Ｂ）のデータを出力する。よって、表示重畳部３６は、ＵＩ画像（Ａ）及び出力画像（Ｃ）に対して、合成後のストローク画像（Ｂ）を重畳する。最後に、映像重畳部２８が、表示重畳部３６によって重畳された重畳画像（Ａ、Ｂ、Ｃ）をディスプレイ３ａ上に表示する。
【０１４７】
次に、主催装置となる電子黒板２ａが有するサーバ部９０における遠隔操作送信部７６を含む通信制御部７０は、通信ネットワーク９を介して、合成後のストローク画像（Ｂ）のデータを送信する（ステップＳ４５）。なお、送信先は、ストローク画像（Ｂ）のデータの送信元である電子黒板２ｂ以外の電子黒板２ｃの通信制御部６０である。これにより、参加装置となる電子黒板２ｃが有する遠隔操作受信部６６は、合成後のストローク画像（Ｂ）のデータを受信する。
【０１４８】
次に、電子黒板２ｃは、ディスプレイ３ｃに重畳画像（Ａ、Ｂ、Ｃ）を表示する（ステップＳ４６）。具体的には、電子黒板２ｃが有する遠隔操作受信部６６は、ステップＳ４５によって受信される合成後のストローク画像（Ｂ）のデータを電子黒板２ｃの画像処理部３０に出力する。次に、画像処理部３０が有する表示重畳部３６は、ＵＩ画像（Ａ）及び出力画像（Ｃ）の各データと、合成後のストローク画像（Ｂ）のデータを重畳し、映像重畳部２８に重畳画像（Ａ、Ｂ、Ｃ）のデータを出力する。そして、映像重畳部２８は、ディスプレイ３ｃに重畳画像（Ａ、Ｂ、Ｃ）のデータを出力する。これにより、ディスプレイ３ｃは、重畳画像（Ａ、Ｂ、Ｃ）を表示する。
【０１４９】
なお、上記処理では、ディスプレイ３上に出力画像（Ｃ）が表示されるが、この出力画像（Ｃ）に代えて、背景画像（Ｄ）が表示されてもよい。また、出力画像（Ｃ）と背景画像（Ｄ）との排他的な関係をやめて、出力画像（Ｃ）と、背景画像（Ｄ）との両方が同時にディスプレイ３上に表示されてもよい。
【０１５０】
（参加の終了例）
続いて、参加装置が遠隔共有処理への参加を終了する処理の一例を説明する。図示する例では、電子黒板２ｃが参加を終了する場合の例を示す。
【０１５１】
まず、電子黒板２ｃは、ユーザによるタッチパネル等の入力装置の操作によって、参加の終了要求を受け付ける。次に、遠隔参加処理部６２（図５）は、主催装置となる電子黒板２ａが有するサーバ部９０（図５）における通信制御部７０（図５）に、参加の終了要求を行う（ステップＳ４７）。これにより、通信制御部７０が有する遠隔接続要求受信部７１（図５）は、電子黒板２ｃから、参加の終了要求を受信する。そして、遠隔接続要求受信部７１は、遠隔接続処理部８１（図５）に、電子黒板２ｃのＩＰアドレスと共に参加の終了要求を出力する。次に、電子黒板２ａが有する遠隔接続処理部８１は、遠隔接続要求受信部７１から送られるＩＰアドレスに基づいて、参加拠点管理テーブル８２０（図５）を編集する。具体的には、参加の終了要求を行った電子黒板２ｃのＩＰアドレス及び電子黒板２ｃが設置されている拠点の名称が、参加拠点管理テーブル８２０から削除される。また、遠隔接続結果送信部７２（図５）に、電子黒板２ｃのＩＰアドレス及び削除した旨の通知を出力する。
【０１５２】
次に、遠隔接続結果送信部７２を含む通信制御部７０が、通信ネットワーク９（図１）を介して、電子黒板２ｃのクライアント部２０（図５）における通信制御部６０（図５）に、参加の終了を指示する（ステップＳ４８）。これにより、電子黒板２ｃにおける通信制御部６０の遠隔参加処理部６２が、遠隔共有処理の通信を切断することで、参加の終了処理を行うことで、参加が終了する（ステップＳ４９）。
【０１５３】
（判定例及び変更例）
図９は、電子黒板による判定及び変更の処理一例を示すフローチャートである。なお、図示する処理は、例えば、電子黒板が生成した画像データ等に対する操作を入力すると行われる。より具体的には、例えば、図７に示す処理において、電子黒板２ａが設置されている拠点の方では、ステップＳ３２の後、又は電子黒板２ｃが設置されている拠点の方では、ステップＳ３４の後等である。また、図９に示す処理は、例えば、判定部２０Ａ１（図３）及び変更部２０Ａ２（図３）等によって実現される。
【０１５４】
電子黒板は、ユーザによるファイル操作を入力する。例えば、ファイル操作は、以下のようなＧＵＩ（Ｇｒａｐｈｉｃａｌ  Ｕｓｅｒ  Ｉｎｔｅｒｆａｃｅ）等によって、電子黒板に受け付けられる（ステップＳ１０１）。
【０１５５】
図１０は、電子黒板が表示するファイル操作メニューを示す図の一例である。例えば、電子黒板は、図示する画面ＰＮＬを表示する。そして、ユーザは、表示される画面ＰＮＬに対してファイル操作を入力する。具体的には、電子黒板は、ファイル操作用のアイコン等が押下されると、例えば、ファイル操作メニューＭＮＵ等を表示する。さらに、ファイル操作メニューＭＮＵが表示するメニューにおいて、ファイル保存メニューＦＳＶが押下されると、電子黒板は、画像データ等を記憶する処理を開始する。
【０１５６】
図９に戻り、電子黒板は、変更を行う設定がされているか否か判断する（ステップＳ１０２）。なお、変更を行うか否かの設定は、ユーザの操作等によって電子黒板に設定される。変更に係る設定の詳細は、後述する。また、変更は、例えば、データを圧縮すること等である。以下、変更が圧縮である例で説明する。次に、変更を行う設定であると判断されると（ステップＳ１０２でＹＥＳ）、電子黒板は、ステップＳ１０３に進む。一方で、変更を行う設定でないと判断されると（ステップＳ１０２でＮＯ）、電子黒板は、ステップＳ１０６に進む。
【０１５７】
次に、電子黒板は、記憶先が外部装置であるか否か判断する（ステップＳ１０３）。例えば、記憶先が外部装置であるか否かは、ファイル操作（ステップＳ１０１）の際に入力される記憶先を示すパスによって判断される。なお、パスは、例えば、以下のようにして入力される。
【０１５８】
図１１は、ファイル操作における記憶先の入力するＧＵＩを示す図の一例である。例えば、電子黒板は、図１０に示す画面ＰＮＬによるファイル操作において、図示するような選択画面ＳＰＬを表示する。この例では、ユーザは、記憶先を外部装置とするか電子黒板内とするか（いわゆる「Ｃドライブ」等）が選択画面ＳＰＬで選択できる。
【０１５９】
具体的には、選択画面ＳＰＬでは、「ＵＳＢ  Ｍｅｍｏｒｙ」と示すＵＳＢメモリ選択ＳＵＳＢを選択する操作をユーザが行うと、記憶先は、ＵＳＢメモリ５（図２）と設定される。一方で、選択画面ＳＰＬでは、「一時保存フォルダー」と示す電子黒板内選択ＳＴＦを選択する操作をユーザが行うと、記憶先は、ＳＳＤ１０４（図２）に生成される「一時保存フォルダー」と設定される。なお、以下に説明する例では、ＳＳＤ１０４（図２）には、パーティションは、「Ｃドライブ」のみがあるようにあらかじめ設定されるとする。したがって、「一時保存フォルダー」のように、電子黒板内のいずれかの記憶領域を記憶先とすると、記憶先を示すパスは、「Ｃドライブ」内の記憶領域を示す。
【０１６０】
一方で、この例では、ＵＳＢメモリ５等の外部装置は、電子黒板に接続されると、「Ｃドライブ」以外のドライブに設定される。例えば、ＵＳＢメモリ５内のいずれかの記憶領域を記憶先とすると、記憶先を示すパスは、「Ｄドライブ」内のいずれかの記憶領域を示す。
【０１６１】
なお、「Ｃドライブ」は、パーティションによって、例えば、「Ｃドライブ」及び「Ｄドライブ」のように、２つ以上の記憶領域に分けられてもよい。このようにして、例えば、「Ｃドライブ」には、ＯＳ（Ｏｐｅｒａｔｉｎｇ  Ｓｙｓｔｅｍ）に係るファイル及びアプリケーションプログラム等が記憶される。一方で、「Ｄドライブ」には、「一時保存フォルダー」を含むデータが記憶される。また、記憶領域は、記憶先を「一時保存フォルダー」とし、「Ｄドライブ」にデータを記憶し、記憶先から「Ｄドライブ」にリンクを張る構成等でもよい。このような場合には、「Ｃドライブ」及び「Ｄドライブ」が、電子黒板内の記憶領域とされる。また、接続される外部装置は、例えば、「Ｅドライブ」等となる。すなわち、この場合には、「Ｃドライブ」及び「Ｄドライブ」以外の記憶先が、外部装置であると判断される。
【０１６２】
図１１に示す選択画面ＳＰＬでは、「保存」ボタンがグレーアウトであるが、ＵＳＢメモリ選択ＳＵＳＢ又は電子黒板内選択ＳＴＦのどちらかが選択されると、「保存」ボタンが有効となる（押下できる状態となる）。そして、「保存」ボタンが押下されると、記憶先が決定するため、記憶先を示すパスが決定する。
【０１６３】
電子黒板は、例えば、この決定された記憶先を示すパスが、所定の記憶領域を示すか否かに基づいて、記憶先が外部装置であるか否か判断する。なお、所定の記憶領域は、あらかじめ設定される。つまり、記憶先を示すパスが、あらかじめ設定される記憶領域の例である「Ｃドライブ」であると、電子黒板は、記憶先が外部装置でないと判断する（図９に示すステップＳ１０３でＮＯ）。一方で、記憶先を示すパスがＵＳＢメモリ等の「Ｃドライブ」以外であると、電子黒板は、記憶先が外部装置であると判断する（図９に示すステップＳ１０３でＹＥＳ）。例えば、所定の記憶領域以外を「Ｃドライブ」以外とすると上記の例のようになる。
【０１６４】
なお、外部装置は、ＵＳＢメモリに限られない。すなわち、外部装置の種類は、ＵＳＢメモリ以外の装置又は記録媒体でもよい。例えば、外部装置は、いわゆる外付けのハードディスク等でもよい。
【０１６５】
また、選択画面ＳＰＬでは、変更に係る設定が入力されてもよい。すなわち、図９に示すステップＳ１０２用の設定が、選択画面ＳＰＬによって入力されてもよい。図１１は、図示する「保存ファイルのオプション設定」で示す変更設定ボタンＢＯＰが押下されると、変更に係る設定が入力できる例を示す。例えば、変更設定ボタンＢＯＰが押下されると、以下のようなオプション設定画面が表示されるとする。
【０１６６】
図１２は、変更に係る設定を入力するためのオプション設定画面を示す図の一例である。この例では、図示するオプション設定画面ＯＰＬにおいて、「背景画像を圧縮してファイルサイズを小さくする」をチェックするか否かによって、変更を行うか否かの設定がされる例である。すなわち、「背景画像を圧縮してファイルサイズを小さくする」がチェックされると、電子黒板は、変更を行う設定であると判断する（図９に示すステップＳ１０２でＹＥＳ）。一方で、「背景画像を圧縮してファイルサイズを小さくする」のチェックが外されると、電子黒板は、変更を行う設定でないと判断する（図９に示すステップＳ１０２でＮＯ）。
【０１６７】
また、変更に係る設定では、図示するように、「圧縮率」等が入力できてもよい。すなわち、図９に示すステップＳ１０５で行われる変更に係るパラメータ等をあらかじめ設定できてもよい。このようにすると、ユーザは、「圧縮率」等を設定することができ、電子黒板は、ユーザが望ましい形式又はデータサイズで画像データを記憶することができる。
【０１６８】
図９に戻り、電子黒板は、記憶する画像データに背景画像があるか否かを判断する（ステップＳ１０４）。なお、背景画像は、例えば、図６に示す背景画像（Ｄ）等である。次に、背景画像があると判断されると（ステップＳ１０４でＹＥＳ）、電子黒板は、ステップＳ１０５に進む。一方で、背景画像がないと判断されると（ステップＳ１０４でＮＯ）、電子黒板は、ステップＳ１０６に進む。
【０１６９】
次に、電子黒板は、画像データを変更する（ステップＳ１０５）。例えば、電子黒板は、図６に示す各レイヤの画像のうち、背景画像（Ｄ）を圧縮の対象とする。なお、圧縮は、例えば、ＪＰＥＧ（Ｊｏｉｎｔ  Ｐｈｏｔｏｇｒａｐｈｉｃ  Ｅｘｐｏｒｔｓ  Ｇｒｏｕｐ）圧縮等である。また、電子黒板は、画像のサイズ、圧縮率（例えば、Ｑ値）又はこれらの組み合わせ等を変える変更を行ってもよい。
【０１７０】
以下、「１２８０×７２０」の背景画像である例で説明する。この例では、図１２に示すオプション設定画面ＯＰＬにおいて、「背景画像を圧縮してファイルサイズを小さくする」がチェックされ、「圧縮率」が設定される場合には、以下のように変更が行われる。なお、変更は、図１２に示す「圧縮率」の箇所に入力された設定に応じて行われる。
【０１７１】
「高い」：縦及び横のそれぞれのサイズを（０．０＜ｘ≦０．７）となるいずれかの倍率となるように設定する。また、ＪＰＥＧのＱ値が（０＜ｙ≦７０）となるように設定する。これらの設定がされた上で、圧縮が行われる。
【０１７２】
「ふつう」：縦及び横のそれぞれのサイズを（０．７＜ｘ≦０．９）となるいずれかの倍率となるように設定する。また、ＪＰＥＧのＱ値が（７０＜ｙ≦８０）となるように設定する。これらの設定がされた上で、圧縮が行われる。
【０１７３】
「低い」：縦及び横のそれぞれのサイズを（０．９＜ｘ≦１．０）となるいずれかの倍率となるように設定する。また、ＪＰＥＧのＱ値が（８０＜ｙ＜１００）となるように設定する。これらの設定がされた上で、圧縮が行われる。
【０１７４】
なお、上記の例では、サイズの倍率を「ｘ」、Ｑ値を「ｙ」で示す。また、圧縮方式は、ＪＰＥＧに限られない。すなわち、圧縮方式は、例えば、ＧＩＦ等の他の方式でもよい。さらに、変更は、圧縮に限られず、例えば、ＢＭＰファイル形式又はＴＩＦＦファイル形式等において、画素を間引く処理等でもよい。また、電子黒板は、圧縮等の変更後に、更にＰＤＦ形式等に変更してもよい。
【０１７５】
次に、電子黒板は、ステップＳ１０１等で入力される記憶先に画像データを記憶する（ステップＳ１０６）。なお、画像データ以外のデータが共に記憶されてもよい。
【０１７６】
ユーザのファイル操作等によって、図６に示すように、各レイヤの画像を重畳して生成される重畳画像の画像データ等が、ＵＳＢメモリ等の外部記憶装置に記憶される場合がある。このような画像データは、画像を示すため、データ容量が大きくなる場合が多い。そこで、電子黒板は、背景画像等を変更して、画像データの容量を小さくする。このようにすると、データ容量が大きい画像データを小さくすることができるため、外部装置の画像データを記憶するための記憶容量を節約することができる。
【０１７７】
また、図６に示す画像データでは、ストローク画像データ等は、変更の対象外とされるのが望ましい。ストローク画像データ等は、他の電子黒板に入力され、その後、ストローク画像データが示すデータは、編集される場合がある。そのため、変更、特に、不可逆変換されると、編集に必要なデータが削除されたり、使用できなくなったりする場合がある。そこで、変更の対象となるデータは、背景画像データであるのが望ましい。このようにすると、他の電子黒板等に外部装置を介して画像データを入力した後、ストローク画像等が編集でき、コミュニケーションを円滑にすることができる。また、背景画像データは、データ容量が大きい場合が多いため、変更されると、画像データのデータ容量を小さくすることができる。
【０１７８】
他にも、外部装置に画像データを記憶する場合には、コードが入力されてもよい。例えば、以下のようなコード入力画面でコードが入力される。
【０１７９】
図１３は、コードを入力するコード入力画面を示す図の一例である。例えば、コード入力画面ＣＰＬは、図１１に示す選択画面ＳＰＬの後に表示される画面である。図示するように、ユーザは、例えば、会議コード等をコード入力テキストボックスＣＯＤに入力する。
【０１８０】
このようにして、入力されるコード、すなわち、図１３に示す例では「１１１１」は、記憶する画像データ等と対応付けされる。また、電子黒板は、この対応付けを示すテーブルデータを生成する。このテーブルデータは、例えば、画像データ等と共に、外部装置に記憶される。
【０１８１】
このテーブルデータによって、コードと、画像データ等とが対応付けされる。すなわち、電子黒板は、コードが入力されると、テーブルデータに基づいて画像データ等を特定できる。したがって、外部装置に記憶された画像データ等を読み出す際に、コードが入力されると、電子黒板は、テーブルデータに基づいて特定される画像データ等を検索することができる。このようにして、他の画像データ等と区別し、電子黒板は、所定の画像データ等を速く読み出すことができる。
【０１８２】
また、上記の例は、電子黒板２による処理の理解を容易にするために、主な機能に応じて分割して示した構成である。そのため、処理単位の分割の仕方又は名称によって本願発明は、限定されない。例えば、電子黒板２の処理は、処理内容に応じて更に多くの処理単位に分割してもよい。また、１つの処理単位は、更に多くの処理を含むように分割されてもよい。
【０１８３】
他にも、画像処理装置は、１つの装置によって実現される構成に限られない。すなわち、１つ以上の情報処理装置を有する画像処理システムによって、本発明に係る実施形態は、実現されてもよい。なお、画像処理装置又は画像処理システムでは、各処理の一部又は全部が分散、冗長、並列又はこれらを組み合わせるように、処理が行われてもよい。
【０１８４】
なお、本発明に係る各処理の全部又は一部は、プログラミング言語等で記述されたコンピュータに画像処理方法を実行させるためのプログラムによって実現されてもよい。すなわち、プログラムは、画像処理装置等のコンピュータに画像処理方法を実行させるためのコンピュータプログラムである。
【０１８５】
また、プログラムは、フラッシュメモリ、フレキシブルディスク、光学ディスク、ＳＤ（登録商標）カード又はＭＯ等のコンピュータが読み取り可能な記録媒体に格納して頒布することができる。さらにまた、プログラムは、電気通信回線を通じて頒布することができる。
【０１８６】
本国際出願は、２０１６年２月１２日に出願された日本国特許出願２０１６−０２５３６０号に基づく優先権を主張するものであり、その全内容を本国際出願に援用する。
【符号の説明】
【０１８７】
１  画像処理システム
２  電子黒板（画像処理装置の一例）
３  ディスプレイ
４  電子ペン
５  ＵＳＢメモリ
６  ノートＰＣ
７  テレビ会議端末
８  ＰＣ
９  通信ネットワーク
【先行技術文献】
【特許文献】
【０１８８】
【特許文献１】特開２０１３−２１０９５７号公報
【図１】
2017138233.tif 000013
【図２】
2017138233.tif 000014
【図３】
2017138233.tif 000015
【図４】
2017138233.tif 000016
【図５】
2017138233.tif 000017
【図６】
2017138233.tif 000018
【図７】
2017138233.tif 000019
【図８】
2017138233.tif 000020
【図９】
2017138233.tif 000021
【図１０】
2017138233.tif 000022
【図１１】
2017138233.tif 000023
【図１２】
2017138233.tif 000024
【図１３】
2017138233.tif 000025
【手続補正書】
【提出日】平成29年4月7日(2017.4.7)
【手続補正１】
【補正対象書類名】特許請求の範囲
【補正対象項目名】全文
【補正方法】変更
【補正の内容】
【特許請求の範囲】
【請求項１】
複数の画像を重ねて示す重畳画像を画像処理する画像処理装置であって、
少なくともストローク画像と、背景画像とを重畳して前記重畳画像を生成する画像処理部と、
前記重畳画像を示す画像データを記憶する記憶先が、前記画像処理装置に接続される外部装置であるか否かを判定する判定部と、
前記判定部によって前記記憶先が前記外部装置であると判定されると、前記画像データのうち、前記背景画像を示す背景画像データを圧縮し、かつ、前記画像データのうち、前記ストローク画像を示すストローク画像データを圧縮しない変更部と
を備える画像処理装置。
【請求項２】
前記ストローク画像は、手書きにより入力された文字、図形、数字、記号、線又はこれらの組み合わせを示す画像である請求項１に記載の画像処理装置。
【請求項３】
前記ストローク画像は、前記背景画像より手前に表示される画像である請求項１又は２に記載の画像処理装置。
【請求項４】
前記変更部は、前記背景画像を示す背景画像データを圧縮する、前記背景画像の画像のサイズ、前記背景画像の圧縮率若しくはこれらの組み合わせを変える又は前記背景画像が有する画素を間引く請求項１乃至３のいずれか一項に記載の画像処理装置。
【請求項５】
前記判定部は、前記記憶先を示すパスが所定の記憶領域を示すか否かに基づいて判定する請求項１乃至４のいずれか一項に記載の画像処理装置。
【請求項６】
前記判定部は、前記記憶先が前記記憶領域以外であると、前記記憶先が前記外部装置であると判定する請求項５に記載の画像処理装置。
【請求項７】
前記画像データと、前記画像データと関連付けされるコードとを示すテーブルデータを生成し、
前記コードが入力されると、前記テーブルデータに基づいて、前記画像データを特定する請求項１乃至６のいずれか一項に記載の画像処理装置。
【請求項８】
１つ以上の情報処理装置を有し、かつ、複数の画像を重ねて示す重畳画像を画像処理する画像処理システムであって、
少なくともストローク画像と、背景画像とを重畳して前記重畳画像を生成する画像処理部と、
前記重畳画像を示す画像データを記憶する記憶先が、前記情報処理装置に接続される外部装置であるか否かを判定する判定部と、
前記判定部によって前記記憶先が前記外部装置であると判定されると、前記画像データのうち、前記背景画像を示す背景画像データを圧縮し、かつ、前記画像データのうち、前記ストローク画像を示すストローク画像データを圧縮しない変更部と
を備える画像処理システム。
【請求項９】
複数の画像を重ねて示す重畳画像を画像処理する画像処理装置が行う画像処理方法であって、
前記画像処理装置が、少なくともストローク画像と、背景画像とを重畳して前記重畳画像を生成する画像処理手順と、
前記画像処理装置が、前記重畳画像を示す画像データを記憶する記憶先が、前記画像処理装置に接続される外部装置であるか否かを判定する判定手順と、
前記画像処理装置が、前記判定手順によって前記記憶先が前記外部装置であると判定されると、前記画像データのうち、前記背景画像を示す背景画像データを圧縮し、かつ、前記画像データのうち、前記ストローク画像を示すストローク画像データを圧縮しない変更手順と
を含む画像処理方法。
【請求項１０】
前記変更部は、前記背景画像データをＪＰＥＧ圧縮する請求項４に記載の画像処理装置。
【請求項１１】
前記背景画像は、無地、グリッド表示、キャプチャされた画像、文書又はプレゼンテーション資料を示す画像である請求項１乃至７又は１０のいずれか一項に記載の画像処理装置。
【請求項１２】
前記判定によって前記記憶先が前記外部装置でないと判定されると、前記変更部は、圧縮を行わない請求項１乃至７、１０又は１１のいずれか一項に記載の画像処理装置。
【請求項１３】
前記判定部は、前記記憶先が一時保存フォルダーであると、前記記憶先が前記外部装置でないと判定する請求項１乃至７又は１０乃至１２のいずれか一項に記載の画像処理装置。
【請求項１４】
前記画像データのファイル操作が入力され、
前記変更部による圧縮を行うと設定され、
前記判定によって前記記憶先が前記外部装置であると判定され、
前記画像データに前記背景画像を示す背景画像データがあると、
前記変更部は、前記圧縮を行う請求項１乃至７又は１０乃至１３のいずれか一項に記載の画像処理装置。
【国際調査報告】
2017138233.tif 000026
2017138233.tif 000027
2017138233.tif 000028
2017138233.tif 000029